(57)【要約】【課題】ドア前カバーの浮き上がりや捲れを防止してドア設置部の止水性等を向上させたり、ドア前カバーの長手方向端部とドア縦枠との間の隙間発生等を防止し得るドア枠の設置構造を提供する。【解決手段】下枠、上枠及び一対の縦枠を有して室内の出入り口に設置されるドア枠の設置構造であって、下枠とフロアのドア設置部との間にドア前カバーを配設すると共に、ドア前カバーの長手方向の端部と縦枠との間に、固定部を縦枠に固定した際に押さえ部によりドア前カバーの長手方向の端部をフロアに押さえ付ける押さえ部材を配設する。前記押さえ部材は、固定部のドア側端面が縦枠の内端面と面一に設定され、押さえ部のドア側端部がドア側に所定寸法突出したり、押さえ部材の固定部の反ドア側端面が縦枠の外端面より反ドア側に所定寸法突出する如く形成される。【選択図】  図１
2008169670.tif 000002
【特許請求の範囲】
【請求項１】
下枠、上枠及び一対の縦枠を有して室内への出入り口に設置されるドア枠の設置構造であって、
前記下枠とフロアのドア設置部との間にドア前カバーを配設すると共に、前記ドア前カバーの長手方向の端部と前記縦枠との間に押さえ部材を配設し、前記押さえ部材は、固定部を前記縦枠に固定した際に押さえ部により前記ドア前カバーの長手方向の端部を前記フロア上に押さえ付けることを特徴とするドア枠の設置構造。
【請求項２】
前記押さえ部材は、前記固定部のドア側端面が前記縦枠の内端面と面一に設定され、前記押さえ部のドア側端部がドア側に所定寸法突出していることを特徴とする請求項１に記載のドア枠の設置構造。
【請求項３】
前記押さえ部材は、前記固定部の反ドア側端部が前記縦枠の外端面より反ドア側に所定寸法突出していることを特徴とする請求項１または２に記載のドア枠の設置構造。
【発明の詳細な説明】
【技術分野】
【０００１】
本発明は、システムバスルーム等の室内の出入り用ドアにおけるドア枠の設置構造に関する。
【背景技術】
【０００２】
一般的に、システムバスルーム等の浴室に設置されるドアは、洗い場で使用した湯水が、フロア（防水パン）のドア設置部とドア下枠間に形成される隙間からフロア外に漏れるのを防止するために、ドア下枠とフロア間に止水性を確保する必要がある。従来、この止水性の確保は、例えば特許文献１や特許文献２に示すように、ドア下枠の浴室内側にドア前カバーをドア下枠の全幅に亘って配設することによって行っている。
【特許文献１】特開２００５−２９９１８０号公報
【特許文献２】特開２００１−２１４６６９号公報
【発明の開示】
【発明が解決しようとする課題】
【０００３】
しかしながら、このようなドアの設置構造においては、ドア前カバーの幅方向の基端部がドア下枠に係止され先端部がフロア上に載置状態で配設されているため、ドア前カバーが浴室内に出入りする人によって踏み付けられる場合が多く、例えばドア前カバーの先端部が浮き上がったり、長手方向の両端部が引き戸や開き戸の開閉により捲れる場合がある。また、ドアの設置時に、長尺状のドア前カバーをドア幅に応じて切断して使用する場合があるが、このような場合に切断時の寸法誤差によりドア前カバーの長手方向端部とドア縦枠との間に隙間が生じる虞もある。
【０００４】
本発明は、このような事情に鑑みてなされたもので、その目的は、ドア前カバーの浮き上がりや捲れを防止してドア設置部の止水性等を向上させ得るドア枠の設置構造を提供することにある。また、他の目的は、前記目的に加え、ドア前カバーの長手方向端部とドア縦枠との間の隙間発生を防止したり、シール材を隠蔽して外観や清掃性を向上させ得るドア枠の設置構造を提供することにある。
【課題を解決するための手段】
【０００５】
かかる目的を達成すべく、本発明のうち請求項１に記載の発明は、下枠、上枠及び一対の縦枠を有して室内への出入り口に設置されるドア枠の設置構造であって、前記下枠とフロアのドア設置部との間にドア前カバーを配設すると共に、前記ドア前カバーの長手方向の端部と前記縦枠との間に押さえ部材を配設し、前記押さえ部材は、固定部を前記縦枠に固定した際に押さえ部により前記ドア前カバーの長手方向の端部を前記フロアに押さえ付けることを特徴とする。
【０００６】
また、請求項２に記載の発明は、押さえ部材の前記固定部のドア側端面が前記縦枠の内端面と面一に設定され、前記押さえ部のドア側端部がドア側に所定寸法突出していることを特徴とする。また、請求項３に記載の発明は、押さえ部材の前記固定部の反ドア側端部が前記縦枠の外端面より反ドア側に所定寸法突出していることを特徴とする。
【発明の効果】
【０００７】
本発明のうち請求項１に記載の発明によれば、下枠とフロアのドア設置部との間にドア前カバーが配設されると共に、ドア前カバーの長手方向の端部と縦枠との間に、固定部を縦枠に固定した際に押さえ部によりドア前カバーの長手方向の端部をフロアに押さえ付ける押さえ部材が配設されているため、押さえ部の押さえ付けによりドア前カバーの浮き上がりや捲れを防止することができて、ドア設置部の止水性や清掃性あるいは外観を向上させることができる。
【０００８】
また、請求項２に記載の発明によれば、請求項１に記載の発明の効果に加え、押さえ部材の固定部のドア側端面が縦枠の内端面と面一に設定され、押さえ部のドア側端部がドア側に所定寸法突出しているため、ドアの開閉に支障をきたすことなく、押さえ部材によりドア前カバーの長手方向端部を確実に押さえ付けることができる。
【０００９】
また、請求項３に記載の発明によれば、請求項１または２に記載の発明の効果に加え、押さえ部材の固定部の反ドア側端部が縦枠の外端面より反ドア側に所定寸法突出しているため、突出部分によりシール材を隠蔽することができて、ドア設置部の止水性や外観及び清掃性を一層向上させることができる。
【発明を実施するための最良の形態】
【００１０】
以下、本発明の実施の形態を図面に基づいて詳細に説明する。
図１〜図５は、本発明に係わるドア枠の設置構造を採用した浴室ドアの一実施形態を示し、図１がその斜視図、図２が図１のＡ部の拡大図、図３が図１のＢ部の拡大図、図４及び図５が設置状態の縦断面図である。
【００１１】
図１〜図３に示すように、浴室１のコーナ部１ａである壁パネル２ａの壁パネル２ｂ側には、ドア枠３が設置されている。このドア枠３は、下枠３ａと、図示しない上枠及び一対の縦枠３ｂ、３ｃにより縦長の長方形状に形成され、その内側の空間４内に図示しない引き戸や開き戸等からなるドアが開閉可能に配設されるようになっている。
【００１２】
また、前記ドア枠３の下枠３ａの浴室内側のフロア５（防水パン）上にはドア前カバー６が配設されると共に、ドア枠３の縦枠３ｂ、３ｃの前面（浴室内側）には押さえ部材７、８が配設されている。前記ドア前カバー６は、例えばエラストマーの押出品でドア幅に応じた長尺状に形成され、図４及び図５に示すように、基端部６ａが下枠３ａに係止されると共に、先端部６ｂが略水平方向に前方に延設状態とされてフロア５上に位置するようになっている。
【００１３】
前記一対の押さえ部材７、８は、例えばエラストマーの成形品により、その形状が互いに異なるように形成されている。そのうちドア枠３の平継ぎ側（縦枠３ｂ側）に配設される押さえ部材７は、図２に示すように、縦枠３ｂの下端前面に固定される固定部７ａと、この固定部７ａの下部側方に一体形成された押さえ部７ｂを有している。この時、前記固定部７ａは縦枠３ｂの幅より若干大きく形成されて、反ドア側（反空間４側）側面にヒレ状の側部突出部７ｃが一体形成されると共に、下部にも前方に傾斜状態で突出した下部突出部７ｄが一体形成されている。そして、固定部７ａの上部には取付用凹部９が形成され、この取付用凹部９の底面には取付孔９ａ（図４参照）が形成されている。
【００１４】
また、押さえ部材７の前記押さえ部７ｂは、固定部７ａの下部突出部７ｄのドア側端面から所定寸法（例えば５〜１０ｍｍ）ドア側に突出状態で設けられ、その上面形状が前記ドア前カバー６の上面形状に類似（相似）した形状に設定されると共に、その内側にはドア前カバー６の上面形状に対応した溝１０（図４参照）が形成されている。そして、固定部７ａを縦枠３ｂの前面に固定ネジ１１により固定した際に、押さえ部７ｂの前記溝１０内にドア前カバー６の左右端部が係合状態で配置されて、下方のフロア５上に押さえ付けられるようになっている。
【００１５】
また、ドア枠３のコーナ側（縦枠３ｃ側）に配設される前記押さえ部材８は、図３に示すように、前記押さえ部材７と同様に、縦枠３ｃの下端前面に固定される固定部８ａと、この固定部８ａの下部側方に一体形成された押さえ部８ｂとを有している。そして、固定部８ａは縦枠３ｃの幅より若干大きく形成されて、反ドア側（反空間４側）側面にヒレ状の側部突出部８ｃが一体形成されると共に、下部にも前方に突出した下部突出部８ｄが一体形成されている。この時、側部突出部８ｃは前方にヒレ状に延びて、浴室１のコーナ部１ａに対応する形状に形成され、また、押さえ部材８の固定部８ａの上部にも、前記押さえ部材７の固定部７ａと同様に取付孔９ａ（図５参照）が形成された取付用凹部９が形成されている。また、押さえ部材８の押さえ部８ｂは、前記押さえ部材７の押さえ部７ｂと同様に、その内側に溝１０（図５参照）を有する如く形成されている。
【００１６】
なお、各押さえ部材７、８の固定部７ａ、８ａに対する側部突出部７ｃ、８ｃや下部突出部７ｄ、８ｄは、できるだけ曲面を有して連続状態で成形することにより、角部を少なくした外観形状に形成されて、ドア設置部の清掃性の向上が図られている。また、各押さえ部材７、８を、フロア５やドア枠３等と同色にするなどして意匠を合わせることにより、ドア設置部の意匠面を向上させても良い。
【００１７】
次に、前記ドア前カバー６や押さえ部材７、８を使用したドア枠３の設置方法の一例について説明する。先ず、フロア５のドア設置部の立ち上げ壁５ａに図示しない設置用の切欠き等を設けてドア枠３を取り付けると共に、壁パネル２ａ、２ｂを取り付ける。そして、このフロア５に取り付けたドア枠３の下枠３ａにドア前カバー６の基端部６ａを係止させて取り付け、ドア前カバー６の先端部６ｂをフロア５上に載置する。この時、ドア前カバー６は、例えば長尺状に形成された部材からドア幅に応じた長さに施工現場で切断して使用される。
【００１８】
ドア前カバー６を下枠３ａに取り付けたら、押さえ部材７、８をドア枠３の縦枠３ｂ、３ｃにそれぞれ固定ネジ１１で固定する。この時、平継ぎ側の押さえ部材７は、図２及び図４に示すように、固定部７ａの取付孔９ａから縦枠３ｂに形成した取付孔に固定ネジ１１をねじ込むことにより、固定部７ａのドア側端面が縦枠３ｂの内端面と面一となるようにして固定される。この固定部７ａの固定により、側部突出部７ｃが縦枠３ｂの外端面とフロア５の立ち上げ壁５ａとの間を閉塞して、該部分に施されているシリコン等のシール材（図示せず）が押さえ部材７で隠蔽されて浴室１内から視認されない状態となる。また同時に、押さえ部材７の押さえ部７ｂにより、ドア前カバー６の一方の端部がフロア５上に押さえ付けられ、この時、押さえ部７ｂの溝１０内にドア前カバー６が嵌合状態で収容されてフロア５上に確実に押さえ付けられる。
【００１９】
一方、コーナ側の押さえ部材８も、図３及び図５に示すように、前記押さえ部材７と同様に、固定部８ａの取付孔９ａから縦枠３ｂに設けた取付孔に固定ネジ１１をねじ込むことにより、固定部８ａのドア側端面が縦枠３ｃの内端面と面一状態で固定される。この固定状態において、側部突出部８ｃが縦枠３ｃの外端面とフロア５の立ち上げ壁５ａの間及び壁パネル２ａ、２ｂの前記コーナ部１ａを閉塞して、該部分に施されているシリコン等のシール材が押さえ部材８で隠蔽されて浴室１内から視認されない状態となる。また同時に、押さえ部材８の押さえ部８ｂにより、ドア前カバー６の他方の端部が一方の端部と同様にフロア５上に押さえ付けられる。
【００２０】
この両押さえ部材７、８の固定によりドア枠３の設置が完了し、このドア枠３に図示しないドアが取り付けられる。つまり、この設置構造の場合、ドア枠３の縦枠３ｂ、３ｃの下端前面にそれぞれ固定される押さえ部材７、８によって、ドア前カバー６の長手方向の端部がフロア５上に押さえ付けられると共に、各押さえ部材７、８に設けた所定形状の側部突出部７ｃ、８ｃにより、ドア枠３の縦枠３ｂ、３ｃとフロア５のドア設置部の立ち上げ壁５ａ等との間のシール材が隠蔽されることになる。
【００２１】
このように、上記実施形態のドア枠３にあっては、下枠３ａとフロア５のドア設置部との間にドア前カバー６が配設されると共に、一対の縦枠３ｂ、３ｃの下端前面に固定部７ａ、８ａと押さえ部７ｂ、８ｂを有する押さえ部材７、８が固定されて、固定部７ａ、８ａを縦枠３ｂ、３ｃに固定した際に、押さえ部７ｂ、８ｂよりドア前カバー６の長手方向の端部がフロア５上に押さえ付けられるため、入浴者等により踏み付けられることによるドア前カバー６の先端部の浮き上がりや、折り戸や開き戸の開閉時のドア前カバー６の長手方向端部の捲れを防止することができる。
【００２２】
特に、押さえ部７ｂ、８ｂの内側にドア前カバー６の上面形状に合致した溝１０が形成されていることから、この溝１０内にドア前カバー６を先端部６ｂを係合させた状態でフロア５上に確実に押さえ付けることができて、ドア設置部の止水性を向上させつつ、前述した浮き上がり等をより確実に防止することができると共に、浮き上がり等による見栄えの低下を防いで外観の向上や清掃性の向上を図ることが可能となる。
【００２３】
また、各押さえ部材７、８の固定部７ａ、８ａのドア側端面が各縦枠３ｂ、３ｃの内端面と面一に設定されているため、ドアの開閉に支障をきたすことなく、押さえ部材７、８によりドア前カバー６の端部を確実に押さえ付けることができる。また、固定部７ａ、８ａの下部に下部突出部７ｄ、８ｄが形成されているため、この下部突出部７ｄ、８ｄの下面がフロア５上に接触して縦枠３ｂ、３ｃの下端前面とフロア５との接続部を隠蔽して、ドア設置部の外観や清掃性を向上させることができる。
【００２４】
さらに、押さえ部材７、８の固定部７ａ、８ａの反ドア側端面に、縦枠３ｂ、３ｃの外端面より反ドア側に所定寸法突出した側部突出部７ｃ、８ｃが形成されているため、押さえ部材７、８により縦枠３ｂ、３ｃと立ち上げ壁５ａとの間に施されるシール材を隠蔽することができて、外観や清掃性を一層向上させることができると共に、側部突出部７ｃ、８ｃにシール材の補助機能を持たせることができて、止水性の一層の向上を図ることもできる。
【００２５】
また、ドア前カバー６の長手方向の端部が、所定長さの押さえ部材７、８の押さえ部７ｂ、８ｂで押さえ付けられて上面側が覆われるため、例えば設置現場でドア前カバー６をドア幅に応じて切断して使用する場合に発生し易いドア前カバー６の長さのバラツキを吸収して、該カバー６両端部の隙間発生をなくすことができる。その結果、該隙間部分におけるシール材が不要となったり、切断作業自体を簡単に行うことができて、ドア設置作業の能率向上を図ることができる。またさらに、各押さえ部材７、８が角部を少なくした形状に形成されているため、ドア枠３の下端角部に違和感なく固定できると共に、各押さえ部材７、８の意匠をフロア５やドア枠３等の意匠に合わせることにより、押さえ部材７、８の固定よるデザインの低下を押さえることもできて、ドア設置部に所望の意匠を得ることが可能となる。
【００２６】
なお、上記実施形態においては、一対の押さえ部材７、８の形状が平継ぎ側とコーナ側で異なるように形成したが、例えば両端が平継ぎ形態の場合は同一形状の押さえ部材を使用することもできるし、各押さえ部材７、８の全体形状、下部突出部７ｄ、８ｄや側部突出部７ｃ、８ｃの形状等も一例であって、ドアの設置位置等に応じて適宜に変更することができる。
【産業上の利用可能性】
【００２７】
本発明は、システムバスルーム等の浴室に設置されるドア枠への利用に限らず、例えばサウナルームや洗面室等の水廻り空間への出入り用のドア枠にも利用できる。
【図面の簡単な説明】
【００２８】
【図１】本発明に係わる設置構造を採用した浴室ドアの一実施形態を示す斜視図
【図２】同図１のＡ部の拡大図
【図３】同図１のＢ部の拡大図
【図４】同設置状態の縦断面図
【図５】同設置状態の他の縦断面図
【符号の説明】
【００２９】
１・・・浴室、２ａ、２ｂ・・・壁パネル、３・・・ドア枠、３ａ・・・下枠、３ｂ、３ｃ・・・縦枠、４・・・空間、５・・・フロア、５ａ・・・立ち上げ壁、６・・・ドア前カバー、６ａ・・・係止部、６ｂ・・・先端部、７、８・・・押さえ部材、７ａ、８ａ・・・固定部、７ｂ、８ｂ・・・押さえ部、７ｃ、８ｃ・・・側部突出部、７ｄ、８ｄ・・・下部突出部、９・・・取付用凹部、９ａ・・・取付孔、１０・・・溝、１１・・・固定ネジ。
【図１】
2008169670.tif 000003
【図２】
2008169670.tif 000004
【図３】
2008169670.tif 000005
【図４】
2008169670.tif 000006
【図５】
2008169670.tif 000007